(57)【要約】【課題】垂直状に装着されたオイルフィルターの取外し作業では、その取付ネジ部から漏れ出た熱いオイルで作業者が火傷をしてしまう。その防止工具の提供を目的としたもの。【解決手段】取外し作業の時は、フィルターレンチ(市販工具)をオイルフィルターに装着しレンチ等で回し外す。その時熱いオイルが取付部から漏れ出て火傷する。その為、フィルターレンチより大きい開口部9を上方に設けた中空状円筒の容器8を使用し、それに底面部５を設けオイル溜6を形成し、更に容器8内の底面部5の中央部にフィルターレンチへ嵌合装着可能な角状の凸状突起部3を設け、目的の工具であるオイル溜付工具1を形成。凸状突起部3をフィルターレンチへ嵌合装着し回せば、フィルターレンチを介しオイルフィルターも回り外れる。その時取付部から熱いオイルが漏れ出るが、開口部9から容器8へ流れ入りオイル溜6に保持される為、火傷せず安全に作業続行出来る。【選択図】    図３
2010019206.tif 000002
【特許請求の範囲】
【請求項１】
フィルターレンチ14が挿入可能な大きさの開口部９を上方部に有する中空状の容器8において、該容器8内に、オイルフィルター10から排出のオイルを保持可能な大きさ以上のオイル溜６を設け、更に、フィルターレンチ14の工具用突起部15に嵌め合い可能なボックス状の凹状突起部２をも設けた事を特徴とするオイルフィルター交換用工具。
【請求項２】
上記ボックス状の凹状突起部２に代えて、角状の凸状突起部３を設けた事を特徴とする請求項1に記載のオイルフィルター交換用工具。
【請求項３】
上記容器8に、その取扱いや作業等を容易ならしめる為のハンド補助部7を設けた事を特徴とした請求項1及び請求項2に記載のオイルフィルター交換用工具。
【発明の詳細な説明】
【技術分野】
【０００１】
本発明は、自動車のカートリッジタイプのオイルフィルター交換用工具に関するもので、特にエンジンブロックに垂直状態で装着されたオイルフィルターを、火傷等のトラブルがなく安全に能率よく交換するための工具に関するものである。
【背景技術】
【０００２】
オイルフィルターは、エンジンルーム内のエンジンブロックに装着され、潤滑油類の不純物等を濾過除去しエンジンのスムーズな作動を助ける働きをする大変重要なものである。しかし、そのオイルフィルターが装着されているエンジンルーム内にはいろいろな部品類が配置されていて、その着脱作業は大変やりづらい。作業がやりづらいからといってオイルフィルターがしっかり装着されていないと、そこから油漏れなどが発生したりして大きなトラブルとなる。また、しっかり装着されていると、狭い空間での作業なので、取り外しがこれまた大変やりづらい。
【０００３】
したがって、この着脱を容易にする方法については下記の
【特許文献１】〜
【特許文献３】等の提案がある。たしかにこれらの方法等を利用すれば作業はやり易くなると思われる。しかし、取り外し時にはまだ問題点がある。それは、火傷のトラブルである。例えば、ネジ類等で装着してある時にネジを緩めていくと、その緩んだ部位から熱いオイルが出てきて作業者が火傷等をしたりする危険がある。しかし、この火傷等の危険性まで考慮したものの提案はまだ見当たらない。
【０００４】
【特許文献１】実開平03−036775
【特許文献２】実開平07−034907
【特許文献３】特開平08−218838
【発明の開示】
【発明が解決しようとする課題】
【０００５】
オイルフィルターを取り外す時、その緩めた装着部位、例えばネジ部分などから熱いオイルが漏れてきて、作業者が手などを火傷してしまう時がある。特に、オイルフィルターの取付ネジ部が上方に位置し、交換用の操作部がその下方に位置する様な、垂直状態に装着してある時がこの危険性は大きい。
【０００６】
水平状態に装着してある時は、オイルフィルターの装着用のネジ部分と反対側の部位を持ち注意深く作業すれば、火傷の危険性はかなり回避出来る。しかし、垂直状態で装着してある場合、上方の緩めたネジ部分から漏れた熱いオイルはオイルフィルターやフィルターレンチの外側を伝わり、それを持って作業している作業者の手等を濡らし火傷させてしまう。
【０００７】
現在は、垂直状態に装着してあるオイルフィルターを取り外す時は、その持ち方や持つ位置、保護具着用等に留意し十分な注意を払い火傷しない様に行っているが、やはり作業能率は低下するし、その上注意していても火傷をしてしまう時がある。
したがって、本発明は、この火傷防止用の工具、特に垂直状態に装着されたオイルフィルターを、火傷等せず安全に能率良く取り外せる工具の提供を目的とするものである。
【課題を解決するための手段】
【０００８】
本発明は上記課題を次の様な工具で解決した。即ち、フィルターレンチ14が挿入可能な大きさの開口部９を上方部に有する中空状の容器8において、その容器8内に、オイルフィルター10から排出のオイルを保持可能な大きさ以上のオイル溜６を設け、更に、フィルターレンチ14の工具用突起部15に嵌め合い可能なボックス状の凹状突起部２をも設けたオイルフィルター交換用工具により解決した。
【０００９】
更に、上記ボックス状の凹状突起部２に代えて、角状の凸状突起部３を設けたオイルフィルター交換用工具によっても解決した。
【００１０】
更には、  上記容器8に、その取扱いや作業等を容易ならしめる為のハンド補助部7を設けたオイルフィルター交換用工具により解決した。
【発明の効果】
【００１１】
上記課題を解決する為に、オイル溜や嵌合部、さらにはハンド補助部等の工夫の結果、下記の様な効果が得られた。
【００１２】
本発明のオイル交換用工具であるオイル溜付工具1は、その上方部に開口部9を有し、その大きさをフィルターレンチ14より大きくしているので、オイルフィルター10の取付ネジ13の部分より漏出の熱いオイルは、フィルターレンチ14を伝わって落ちてもオイル溜付工具1の中に落下し、その中に設けたオイル溜6に保持保有され、それ以上下方へ落下したり周囲へ飛散したりしなくなった。
【００１３】
上記の通り、漏出オイルはオイル溜付工具１で受け止められオイル溜6内に保持保有されるので、取り外し作業をそのまま続行していても作業者は火傷の心配がなく安全に安心して作業が出来ると共に、周囲への飛散もなくなり汚れも改善されたので、作業効率も大幅に向上した。
【００１４】
ハンド補助部7を設けた結果、オイル溜付工具１の嵌合や回転等の作業操作性等或いは運搬や収納時等の取り扱いもやり易くなり、うっかりミス等も減り、作業性の向上に大きく貢献した。
【発明を実施するための最良の形態】
【００１５】
オイルフィルターが垂直状態に装着されている場合、それを取り外そうとすると緩んだ装着部(取付ネジ部)から熱いオイルが漏れ落ちてきて、その下にいる作業者が火傷したり周辺が汚れたりする。その際、その漏れ落ちて来るオイルを途中で受け止めて作業者を守ってくれるものであって、同時にオイルフィルターの取り外し作業をも支障なく遂行出来るものが本発明のオイルフィルター交換用工具「オイル溜付工具」である。
【００１６】
オイル溜付工具１の形成に際しては中空状の容器8を使用し、その容器8には、漏れ落ちて来たオイルを受けて保持する為のオイル溜6を設け、またフィルターレンチ14に嵌め合い装着する為の嵌合部(凹状突起部2や凸状突起部3)も設け、更には作業や取扱い等をやり易くする為のハンド補助部７をも設ける。
【００１７】
以上の様にして形成のオイル溜付工具1の上方部にはフィルターレンチ14より大きい開口部9を設け、オイルフィルター10から漏れて落ちて来たオイルがオイル溜6内に落ち込める様にしておく。オイル溜6は、落ち込んだオイルがそこから外へ漏れ出ない様に保持出来る構造とし、且つオイルフィルター10内のオイルをその中に保持可能な大きさ以上に形成しておく。オイル溜付工具１の材料としては、熱いオイルに耐える耐熱耐油性で、交換作業に支障のない強さ等を有するものを使用する。
【００１８】
漏れ出るオイルを受けながらオイルフィルター10を取り外す作業も並行して行う必要がある為に、オイルフィルター10へ嵌合装着のフィルターレンチ14にオイル溜付工具1を装着し並行して作業できる様に工夫した。即ち、フィルターレンチ14の工具用突起部15に嵌め合い可能な嵌合部を、オイル溜付工具1の容器8の内部に設け装着出来る様にした。工具用突起部15へはボックスレンチやハンドル等の工具が嵌合出来るので、ボックス状の凹状突起部2や角状の凸状突起部3の形状のものを嵌合部として設けた。こうして嵌合装着したオイル溜付工具1を回せば、フィルターレンチ14を介しオイルフィルター10も回り取付ネジ13部分が緩み外せる。その際、オイルが漏れて来るが、オイル溜6で受けて保持するので火傷の心配等なく安全に作業出来る。
【００１９】
なお、容器8はフィルターレンチ14より大きいため嵩張り感が出て取扱いや作業等がやりにくい時もある。そうした場合、容器8にハンド補助部7を設けると取扱いや作業がやり易くなる。ハンド補助部7としては、棒状、板状、球状、円環状、取っ手形状、凹凸状、或いはこれらの組合せ形状等が好適である。
以下、実施例にもとづき本発明についてさらに説明する。
【実施例１】
【００２０】
本実施例は、円筒状容器にフラットな底面部を設けオイル溜とし、更にフィルターレンチ回転用のボックス状の凹状突起部を設け、更にはパイプ状のハンド補助部をも設けてオイルフィルター交換用工具であるオイル溜付工具1を形成した実施例である。
【００２１】
図1の(イ)〜(ニ)にその実施例図を示す。(イ)はオイル溜付工具1の正面図を、(ロ)はその平面図を、(ハ)はその底面図を、(ニ)は(ロ)に示すＸ〜Ｘ’視野での断面図を示す。以下、図1にもとづき本実施例で形成のオイル溜付工具1について説明する。
【００２２】
容器8としてはその径がフィルターレンチ14(本工具は市販商品)より大きい中空状の円筒を使用し、その容器8の下方部に板状のフラットな底面部5を設け、上方部は開放のままとしておく。その底面部5の中央部分には中空状のパイプを、図に示す様に、その一端は底面部5より上方に即ち容器8の内部に位置する様に、他端は底面部5を貫通し下方に突き出た様な状態で装着する。
【００２３】
更に、容器8内のパイプの上端部には、フィルターレンチ14の工具用突起部15の外周に設けられたボックス状外周部16に嵌め合い可能なボックス状の凹状突起部2を設ける。底面部5より下方のパイプは、オイル溜付工具1の取扱いや作業等を助ける為のハンド補助部７として使用する。
【００２４】
なお、フィルターレンチ14は図4の(イ)〜(ニ)に示す様な形状のものである。図4の(イ)は正面図を、(ロ)は平面図を、(ハ)は底面図を、(ニ)は(ロ)に示すＺ〜Ｚ’視野での断面図を示す。フィルターレンチ14の大きい方の径の内周には、オイルフィルター10に設けられた多角形外周部11(図5参照)に嵌め合い出来る多角形内周部18が形成されている。また、その多角形内周部18の反対側には、ボックスレンチやハンドル等の工具類と嵌め合い出来る工具用突起部15が設けてある。
【００２５】
本実施例は、この工具用突起部15の外周に設けられているボックス状外周部16に嵌め合い可能なボックス状の凹状突起部2を、容器8内のパイプの上端部に設け、オイル溜付工具1とフィルターレンチ14とを嵌合装着可能としたものである。この結果、本発明のオイル溜付工具1を回せば、この嵌め合いを介しフィルターレンチ14も回り、更にオイルフィルター10も回り、その交換を行う事が出来る。
【００２６】
オイル溜6形成においては、筒状の容器8と中央部のパイプとが側面部4(容器8が外側の側面部4A、パイプが内側の側面部4B)となり、フラットな板が底面部5となりオイル溜6を形成し、上から漏れてきたオイルはその中に溜まり漏れ出る事がない様に保持される。この本実施例の様にオイル溜6は容器8の側面部等を利用し形成する事も出来るが、オイルをその中に保持保有可能な容器等を別途準備し、それを容器8と組み合わせなどしてオイル溜6を形成しても支障ないものである。
【００２７】
この本実施例で形成のオイル溜付工具1の使い方等については、更に実施例2にて説明する。
【実施例２】
【００２８】
本実施例では、実施例1のオイル溜付工具1の使い方や効果等について説明する。エンジンブロック12に装着されたオイルフィルター10の交換は、一般に現在は図4に示す市販のフィルターレンチ14を使用し行われている。
【００２９】
現在の一般的な取り外し方法は次の通りである。まず、図5に示す様に、エンジンブロック12に装着のオイルフィルター10に向かってフィルターレンチ14を下方から矢印の様に持ち上げて、その多角形内周部18を、オイルフィルター10の多角形外周部11に嵌め合わせ、図2の状態に装着する。その後、ボックスレンチをフィルターレンチ14の工具用突起部15の外周部に設けられた六角形をしたボックス状外周部16へ嵌め合わせて、或いはハンドルを工具用突起部15の中央部に設けられた四角形をした角状穴17へ嵌め合わせて回すと、フィルターレンチ14が回り、それと共にオイルフィルター10も回り、さらに取付ネジ13の部分も回りゆるんでオイルフィルター10を取り外す事が出来る。
【００３０】
この時、オイルフィルター10は垂直状に装着されているので、緩んだ取付ネジ13の部分から熱いオイルが漏れてきてフィルターレンチ14を伝い落ち、その下で作業している作業者にかかり火傷する危険があった。しかし、本発明のオイル溜付工具1を使用すれば、この火傷の危険性を回避し安全に交換作業を行う事が出来る。
【００３１】
オイル溜付工具1は、オイルフィルター10へ装着のフィルターレンチ14に装着させて使用する。図2に示す様に、実施例1と同じ構成のオイル溜付工具1を、その開口部９の方を上向きにしてフィルターレンチ14に向かって下方から矢印の様に持ち上げて、開口部9内へフィルターレンチ14が挿入される様に入れ、ボックス状の凹状突起部2を、フィルターレンチ14の工具用突起部15のボックス状外周部16に嵌め合わせ装着する。
【００３２】
なお、この嵌め合わせ装着の前に、取付ネジ13をフィルターレンチ14を介しボックスレンチやハンドル等であらかじめ少し緩めておく。緩め具合は、そのネジ部からの油の漏れがない程度に、またオイル溜付工具1装着後のネジ緩め作業が手でやれる程度に緩めておく。
【００３３】
この様にネジ部分を少し緩めた後、オイル溜付工具1をフィルターレンチ14に上述の要領で装着する。装着は、上述の通り、ボックス状の凹状突起部2と工具用突起部15とを嵌め合わせて行う。嵌合装着したらオイル溜付工具1を手で回せば、フィルターレンチ14もオイルフィルター10も共に回り取付ネジ13部分がゆるみオイルフィルター10が外れる。
【００３４】
この時取付ネジ13の部分から熱いオイルが漏れて出てくるが、開口部9の大きさをフィルターレンチ14より大きくしているので、オイルはすべてオイル溜付工具1の中へ落ち込みそこのオイル溜6の中に保持保有される。したがって、取り外し作業をやっている作業者が火傷したり、またオイルが飛び散って周りを汚したりなどの心配もなく、安心安全スムーズに作業が出来る。
【００３５】
また、オイル溜付工具1はフィルターレンチ14に比べ嵩張り感があるが、パイプ状のハンド補助部7を装着したので嵌め合いや回し作業、取扱いや運搬等苦にならずに作業可能である。
【実施例３】
【００３６】
本実施例は、実施例1のオイル溜付工具1の形状や構成等を変えた実施例である。即ち、オイル溜の底部をフラット状からロート状に、嵌合用の突起部を凹状から凸状に、ハンド補助部をパイプ状から棒状と球状の組合せ形状としたものである。
【００３７】
図3の(イ)〜(ニ)にその実施例図を示す。(イ)は正面図を、(ロ)は平面図を、(ハ)は底面図を、(ニ)は(ロ)に示すＹ〜Ｙ’視野での断面図を示す。
本実施例が実施例1と異なる主要な点を図1と図3とを対比し説明する。
【００３８】
オイル溜6の底面部5の形状をフラット状でなくロート状とした。この結果、溜部に深みが出来て扱い易い感じとなった。なお、底面部5はオイルが下方へ漏れ出るのを防ぐ役目の部分であるが、その形状は本実施例のロート状や実施例1のフラットな板状の他に、円状、或いはそれらの組合せ形状等、オイルの漏出を防止出来るものであれば特に支障ない。
【００３９】
また、ハンド補助部7を中空状のパイプでなく棒と球の組合せ形状物とした。下端が球形なので握った時に滑り止め感が出た。なお、棒は中空でないので、オイル溜6形成の為の内側の側面部4Bは必要なくなった。
【００４０】
更に、フィルターレンチ14の工具用突起部15に嵌め合わせる嵌合部を、ボックス状の凹状突起部2でなく角状の凸状突起部3とした。フィルターレンチ14の工具用突起部15には、工具の嵌合部としてボックス状外周部16がその外周に、角状穴17がその中央部に設けてあり、本実施例はその中央部の角状穴17を利用する例であるためである。
【００４１】
このため、角状穴17に嵌め合い可能な角状の凸状突起部3を、凹状突起部2に代わって図3に示す様に設けた。したがって、本実施例のオイル溜付工具1をフィルターレンチ14に装着する時は、実施例1と同様な要領で、オイル溜付工具1の角状の凸状突起部3をフィルターレンチ14の工具用突起部15の中央部の角状穴17へ嵌め合わせればよい。
【００４２】
以上の様に形成の本実施例のオイル溜付工具1の使い勝手やその効果等は、実施例1のオイル溜付工具1のそれと同様であり、火傷その他の心配等もなく安心して使用出来るものである。
【図面の簡単な説明】
【００４３】
【図１】実施例1に示す本発明のオイル溜付工具の図。
【図２】実施例1のオイル溜付工具の嵌合装着図。
【図３】実施例3に示す本発明のオイル溜付工具の図。
【図４】市販のフィルターレンチ図。
【図５】市販フィルターレンチの嵌合装着図。
【符号の説明】
【００４４】
１、オイル溜付工具
２、凹状突起部
３、凸状突起部
４、4A、4B、側面部
５、底面部
６、オイル溜
７、ハンド補助部
８、容器
９、開口部
10、オイルフィルター
11、多角形外周部
12、エンジンブロック
13、取付ネジ
14、フィルターレンチ
15、工具用突起部
16、ボックス状外周部
17、角状穴
18、多角形内周部
【図１】
2010019206.tif 000003
【図２】
2010019206.tif 000004
【図３】
2010019206.tif 000005
【図４】
2010019206.tif 000006
【図５】
2010019206.tif 000007